(57)【要約】本発明は、船舶の船体および船体の下を流れる水の間に、前記船舶が水を介して移動するとき、空気潤滑層を与える為のシステムに関し、空気キャビティおよび波デフレクタであって、平坦底面を有し、前記底面は、前記中間平面に面し、それに対して平行に延在し、前記中間平面から２−１５ｃｍの距離で、前記空気潤滑システムの空気キャビティ内に配置され、前記底面は、周縁部を有し、前記周縁部は、０．５−１５ｃｍの幅を有する隙間によって前記側壁から離間され、前記平坦底面は、前記平坦底面が延在する平面に投影して見たとき、前記開口部の領域の少なくとも８５％、より好ましくは少なくとも９０％、最も好ましくは少なくとも９５％が前記波デフレクタおよび／または前記平坦底面によって覆われる。【選択図】  図３Ａ
2019524559.tif 000002
【特許請求の範囲】
【請求項１】
船舶（１）の船体と、前記船舶が前記水を介して移動するとき前記船体の下を流れる水との間に、空気潤滑層を与える為の空気潤滑システムにおいて、
前記システムには、壁および空気入口を備えた空気キャビティ（７，８；３３）が設けられ、
前記壁は、側壁（１８，１８’）、最上壁（１９）、後壁（２７）を備え、前記壁は、前記最上壁（１９）から反対側に配置された中間平面（３０）に位置する開口部（２０）を画成し、前記開口部は、前記空気キャビティの長さ方向で見られる前端および後端を有し、
前記空気入口（２３）は、前記開口部（２０）から離間され、前記空気キャビティの前記開口部の長さ（Ｌｃ）は、２ｍから１０ｍであり、前記中間平面から前記最上壁の距離（Ｈｃ）は、０ｍ、２ｍ、０．５ｍの間である、空気潤滑システムであって、
前記システムは、平坦底面（２４’）を有する波デフレクタ（２４）を更に備え、前記平坦底面（２４’）は、前記中間平面（３０）に面し、それに対して実質的に平行に延在し、前記中間平面（３０）から２−１５ｃｍの距離（ｈｌ）で前記空気キャビティ内に配置され、前記底面（２４’）は、周縁部を有し、前記周縁部は、前記側壁（１８，１８’）から、０．５−１５ｃｍの幅（ｗ１）を有する隙間によって離間され、前記平坦底面（２４’）が延在する平面上に投影して見たとき、前記開口部（２０）の領域の少なくとも８５％、より好ましくは少なくとも９０％、最もより好ましくは少なくとも９５％が、前記波デフレクタ（２４）および／または前記平坦底面（２４’）によって覆われる、空気潤滑システム。
【請求項２】
前記隙間（ｇｌ）は、実質的に一定の幅（ｗ１）を有する、請求項１に記載の空気潤滑システム。
【請求項３】
前記投影で見るとき、前記開口は、外部周縁部を有し、前記底面の前記周縁部は、前記外周縁部より小さいが同様の形状の輪郭を有し、そこから離間している、請求項１または２に記載の空気潤滑システム。
【請求項４】
前記投影で見たとき、前記開口は、外周縁部を有し、前記開口（２０）に沿った前記隙間（ｇ１）の長さは、前記外周縁部の長さの少なくとも半分、好ましくは、少なくとも４分の３、より好ましくは、少なくとも６分の５である、請求項１〜３のいずれか一項に記載の空気潤滑システム。
【請求項５】
前記後壁（２７）は、前記最上壁の後方部分から前記中間平面（３０）まで、前記空気キャビティ（３３）の前記後端部に向かって延び、
前記底面（２４’）は、２−１５ｃｍの幅を有する更なる隙間（ｇ２）によって、前記後壁（２７）から離間される、請求項１〜４のいずれか一項に記載の空気潤滑システム。
【請求項６】
前記後壁（２７）は、前記最上壁（１９）の前記後方部分から前記空気キャビティの前記後端部に向かって傾斜する、請求項５に記載の空気潤滑システム。
【請求項７】
前記隙間（ｇ１）および前記更なる隙間（ｇ２）は、実質的に平坦底面全体が前記壁（１８，１８’、２７）から離間するように、前記平坦底面（２４’）を実質的に囲む、請求項１〜６のいずれか一項に記載の空気潤滑システム。
【請求項８】
前記波デフレクタは、複数のセグメントを備え、前記複数のセグメントは、共に、前記底面（２４’）を与える、請求項１〜７のいずれか一項に記載の空気潤滑システム。
【請求項９】
前記波デフレクタ（２４）は、単一プレートを備え、前記単一プレートは、全体の底面（２４’）を与える、請求項１〜７のいずれか一項に記載の空気潤滑システム。
【請求項１０】
前記波デフレクタは、１．５〜１０ｃｍの間の厚さを有する、請求項１〜９のいずれか一項に記載の空気潤滑システム。
【請求項１１】
前記平坦底面の前記幅は、前記キャビティの前端部から、前記空気キャビティの前記後端部に向かって、前記平坦底面の長さの少なくとも半分、好ましくは、実質的に前記平坦底面全体に沿って、増加する、請求項１〜１０のいずれか一項に記載の空気潤滑システム。
【請求項１２】
複数のスペーサアーム（２５）を更に備え、前記複数のスペーサアーム（２５）は、前記波デフレクタ（２４）を前記空気キャビティの前記壁（１８，１８’、１９，２７）に接続し、それらの間の隙間を橋絡する、請求項１〜１１のいずれか一項に記載の空気潤滑システム。
【請求項１３】
前記スペーサアーム（２５）は、前記平坦底面（２４’）に対して実質的に平行に伸びる、請求項１２に記載の空気潤滑システム。
【請求項１４】
前記平坦底面は、連続した平坦面であり、前記底面の前記外周縁部上の任意の２点間の全てのラインセグメントは、前記面（２４’）内に完全に含まれる、請求項１〜１３のいずれか一項に記載の空気潤滑システム。
【請求項１５】
船体（４）および請求項１〜１４のいずれか一項に記載の空気潤滑システム（１６）を備える船舶（１）において、前記船舶は、実質的に平らな底部（６）と、前記船舶を航行させる為の推進装置（１０）と、実質的に前記平らな底部（６）の高さにある中間平面（３０）とを有する、船舶（１）。
【発明の詳細な説明】
【発明の分野】
【０００１】
本発明は、船舶の船体と、前記船舶が水を介して移動するときに船体の下を流れる水との間に空気潤滑層を設ける為の空気潤滑システムに関し、前記システムには空気キャビティが設けられ、この空気キャビティは、側壁、最上壁、後壁を備えた壁を備え、前記壁は、前記最上壁から反対側に配置された中間面に位置する開口部で前記空気キャビティを画成し、この開口部は、空気キャビティの長さ方向で見られる、前記中間面と前端部および後端部において、周縁部を有し、波デフレクタは、そのキャビティ内またはキャビティに配置される。本発明は、更に、そのような空気潤滑システムを備える、船舶または船に関する。
【背景技術】
【０００２】
WO 2010/064911は、キャビティの開口部が平らな底部領域にあるように、船舶の船体の平らな底部領域に設けられるキャビティによって、摩擦抗力を減少させるため、排水型船舶の船体に微小泡の層を発生させる方法を開示する。空気は、キャビティ内の水の高さが船舶の船体の高さに実質的に保たれる速度で噴射される。船舶の前方移動のため、キャビティ内の空気は、水に対して、船舶が移動している速度で移動する、或いは、キャビティから見たとき、その速度で水はキャビティを過ぎて流れる。空気および水の間の速度の違いは、いわゆるケルビンヘルムホルツ不安定性（ＫＨＩ）を引き起こし、これが、水および空気の間の中間で空気と水との混合を生じさせ、結果として小さな大きさの気泡の層を発生させる。小さな大きさの気泡は、これらを非常に安定させ、比較的に長期間、水中にとどまる傾向がある。キャビティ内で発生される小さな泡は、それらが、キャビティの下流側の船体の底部に沿って長距離に伸びる安定した潤滑層を形成するように、キャビティの後縁部から放出される。このように、船舶の推進におけるエネルギの節約が達成できる。
【０００３】
WO 2015/133900は、多くの波デフレクタを提供することが開示され、これらは、キャビティにわたって横切って延び、キャビティの側壁に接続され、波デフレクタは、始動中、空気キャビティを空にすることを容易にする為に配置されている。波デフレクタは、キャビティ内の乱流を減少させ、始動中の、パワフルでない空気噴射の為に容量を減らした圧縮機が必要とされるように、より長期間、キャビティ内に空気を保持させる。キャビティの長さ方向で比較的に長い寸法を持つ波デフレクタをキャビティ内に設けることによって、船舶が（例えば２０ノットの速度で）航行中、効率的に空気でキャビティを満たすことができる。動作中、デフレクタは、安定したキャビティ動作が保証されるように、波および船舶の横揺れ運動による水の浸入から、空気で満たされたキャビティを効率的にシールドする。デフレクタは、側壁に溶接される。
【０００４】
そのような波デフレクタを備えた空気潤滑システムは、動作中（即ち、空気潤滑層を提供するとき）船舶の船体上の抗力を著しく減少させるが、システムが動作中でないとき、空気キャビティは、船体上の抗力を増加させる。
【０００５】
本発明は、たとえ空気潤滑システムのスイッチが切られても、船舶の船体上の抗力を減少させる空気潤滑システムおよび船舶を提供することを目的とする。
【０００６】
さらに、本発明は、空気潤滑システムの空気キャビティ内にデブリが詰まることが少ない空気潤滑システムを提供することを目的とする。
【０００７】
さらに、本発明は、比較的に低容量の空気で空気キャビティから十分な水を排出させる空気潤滑システムを提供することを意図する。
【発明の概要】
【０００８】
このため、本発明は、船舶の船体および前記船舶が水を介して移動するとき船体の下を流れる水の間に空気潤滑層を設ける為の空気潤滑システムを提供するが、前記システムには空気キャビティが設けられ、壁と空気入口を備え、前記壁は、側壁、最上壁、後壁を備え、前記壁は、前記最上壁から反対側に配置された中間面に位置する開口部で前記空気キャビティを画成し、この開口部は、空気キャビティの長さ方向から見られる前端部および後端部を有し、空気入口は、開口部から離間され、空気キャビティの開口部の長さは、２〜１０ｍの間にあり、中間面から最上壁の距離は０．２ｍ〜０．５ｍであり、前記空気潤滑システムは、平坦底面を有する波デフレクタを更に備え、平坦底面は、前記中間面に面し、それに対して実質的に平行に延在し、中間面から２−１５ｃｍの距離で前記空気キャビティ内に配置され、前記底面は、０．５−１５ｃｍの幅を有する隙間によって前記側壁から離間された周縁部を有し、前記平坦底面が延在する面における投影で見たとき、前記開口部の領域の少なくとも８５％、より好ましくは少なくとも９０％、最も好ましくは少なくとも９５％が、前記波デフレクタおよび／またはその前記平坦底面によって覆われる。
【０００９】
このシステムにおいて、前記投影において、開口の少なくとも８５％の領域が波デフクレクタによって占められる一方、底面の周縁部および側壁に沿って延在する隙間を経由して、空気潤滑ケルビンヘルムホルツ中間層へと空気が運ばれてもよい。平坦底面は、空気潤滑システムが動作していないとき、即ち、何も空気が隙間を通って空気潤滑層に導入されないとき、空気キャビティに水が入ることを実質的に防止する。
【００１０】
好ましくは、前記投影において、底面の周縁部は、全体の波デフレクタを包囲する。
【００１１】
開口部の大半が覆われ、波デフレクタの底面が船体に対して通常平行であるので、流木などのような硬い物体が隙間に詰まるようになる危険性が最小限に抑えられる。そのため、抗力は、更に減少される。
【００１２】
側壁は、前記中間面に対して横に延在するが、後壁もそうであってもよく、空気潤滑システムが正しく機能するように、これらの壁が中間面に対して垂直に延在する必要はない。好ましくは、空気供給開口部は、圧縮機出口ダクトに接続する為に最上壁に配置される。最上壁を経由してキャビティに噴射される空気は、キャビティを横切って最上部から均等に、それ自体を分割し、安定した空気−水中間部を形成する為にデフレクタに沿って隙間を経由して下方に流れる。キャビティの最上壁に空気入口を設けることによって、前端部における空気の流れは、比較的分布されないままにとどまり、最適な空気−混合ケルビンヘルムホルツ中間部が形成される。弾丸状または短冊状キャビティが使われる場合に、これは特に有利である。底面は、連続した閉じられた面であり、そこを横切る空気及び水の滑らかな流れを可能にすることが好ましい。
【００１３】
実施形態において、隙間は、実質的に一定の幅を有し、また、水−空気中間部の安定性を改善する。このため、更なる隙間も同様に、実質的に一定の幅を有する。
【００１４】
実施形態において、前記投影で見るとき、前記開口部は、外周縁部を有し、波デフレクタの底面の周縁部は、前記開口部の外周縁部より小さいが同様の形状の輪郭を有し、そこから離間されている。そのため、波デフレクタは、空気キャビティに装着可能であり、その中心は開口部の中心と整列するので、空気が空気潤滑層に導入可能な隙間は、開口部の周縁部と底面の外周縁部との間に形成される。
【００１５】
実施形態において、前記投影で見るとき、前記開口は外周縁部を有し、開口部に沿った隙間の長さは、外周縁部の長さの少なくとも半分、好ましくは、その少なくとも４分の３，より好ましくは、その少なくとも６分の５である。一般的に、両方の側壁は、その隙間によって底面から完全に離間されており、底面および側壁の間には何も直接の溶接などが存在しない。そのため、その隙間は、波デフレクタの底面の実質的は部分に沿って延びており、空気潤滑層を形成するように、その隙間を十分な空気が通過することを可能にする。通常、２つの側壁は、キャビティの前端部で合うので、隙間は、キャビティの後端部に向かって、両方の側壁に沿って、キャビティの前端部から延びる。
【００１６】
実施形態において、後壁は、空気キャビティの後端部に向かって中間面まで最上壁の後方部分から延在し、前記底面は、０．５−１５ｃｍの幅を有する更なる隙間によって前記後壁から離間される。更なる隙間の幅は、平坦底面の、キャビティ後壁に対する最も近い距離によって定められ、キャビティ後壁は、デフレクタの底面の後縁部を超えて延在しても、後縁部を超えて延在しなくてもよい。たとえば、後壁が中間平面に対して垂直に延在しないとき、後壁は底面の後縁部を超えて延在してもよい。
【００１７】
実施形態において、後壁は、空気キャビティの後端部に向かって最上壁の前記後方部分から傾斜する。そのような傾斜する後壁は、キャビティ内の空気及び水が、空気キャビティの後端部における縁部に沿って、円滑な流れのパターンで、出口まで誘導することを助ける。
【００１８】
実施形態において、隙間及び前記更なる隙間は、デフレクタの平坦底面を実質的に囲むので、実質的に平坦底面全体が前記壁から離間される。そのため、平坦底部平面の周囲回りに延在する隙間を通って空気潤滑層へと空気を導くことができるので、気泡は、水と混合するように、前記平坦面の全領域に到達可能である。好ましくは、隙間及び更なる隙間は、互いに移行し、波デフレクタ周りに周囲の隙間を形成する。
【００１９】
実施形態において、波デフレクタは、前記底面を与える複数のセグメントを備える。これらのセグメントは、複数の壁に別個に付けられてもよく、波デフレクタ又はセグメントの、より便利な装着および／または交換を可能にする。
【００２０】
実施形態において、波デフレクタは、底面全体を提供する単一プレートを備える。これは、波デフレクタが特に単純構造であることを可能にし、これは、例えば、単一プレートとして構成可能であり、好ましくは、金属製であり、実質的に均一の厚さを有する。そのような波デフレクタは、空気キャビティが提供されるべき位置で、船の船体から、それを切断することによって得られてもよい。
【００２１】
実施形態において、前記波デフレクタは、０．４〜１０ｃｍの厚さを有し、波デフレクタ全体の厚さは、好ましくは均一のである。そのため、波デフレクタ全体は、単純に金属プレートとして具体化されてもよい。
【００２２】
実施形態において、前記平坦底面の幅は、前記平坦底面の長さの少なくとも半分に沿って、好ましくは、平坦底面の実質的に全長に沿って、空気キャビティの後端部に向かって、キャビティの前端部から増加する。デフレクタの底面は、たとえば、その長さの少なくとも最初の半分に沿って、好ましくは、その全長に沿って、弾丸状または短冊状でもよい。この形状と、複数の側壁及び平坦底面との隙間の対応した形状は、水−空気中間部の安定性を改善するのを助ける。
【００２３】
実施形態において、空気潤滑システムは、複数のスペーサアームを更に備え、これらは、前記波デフレクタを前記キャビティの壁に接続し、これらの間の隙間を橋絡する。スペーサアームは、前記中間平面上の投影で見るとき、好ましくは、前記平坦底面によって覆われない前記開口部の領域の１０％未満を覆う（即ち、スペーサアームは、前記投影において、波デフレクタおよび空気キャビティの壁の間の隙間の１０％未満を覆う）。スペーサアームは、それらが底面から遊離したままであるように（即ち、スペーサアームを波デフレクタの反対側の最上面および／またはその縁面に接続することによって）、波デフレクタに接続されてもよい。そのため、底面を、滑らかなままにすることができる。
【００２４】
好ましくは、スペーサアームは、例えば、側壁から、および／または後壁から、波デフレクタまで、前記底面に対して実質的に平行に伸びる。
【００２５】
実施形態において、前記平坦底面は、連続した密接した平坦面であり、前記底面の外周縁部上の任意の２つの地点間の全てのラインセグメントは、前記面内に完全に含まれる。そのため、平坦面は、その外縁部に沿って凹部を有さず、更に、その面自体に切り欠き部分を有さず、中間平面に向かって、平坦面の外縁部にわたり滑らかな空気の流れを可能にする。
【００２６】
第２態様によると、本発明は、本書で説明されたような空気潤滑システムと船体とを備える船舶を提供し、船舶は、実質的に平坦な底部、船舶の航行の為の推進装置、実質的に平坦底部の高さにある中間平面を有する。
【図面の簡単な説明】
【００２７】
以下、添付された図面を参照して、本発明を詳細に説明する。
【図１】図１は、本発明に従う空気潤滑システムを備える船舶の概略的側面図を示す。
【図２】図２は、本発明に従う空気潤滑システムの斜視図を示す。
【図３Ａ】図３Ａは、図２の横断面図を示す。
【図３Ｂ】図３Ｂは、図３Ａの一部分を示し、波デフレクタおよび空気キャビティの壁の間の隙間がより詳細に示される。
【図４】図４は、図２のシステムの底面図を示す。
【実施形態の説明】
【００２８】
図１は、２０ｍから５００ｍの間の長さＬｖ、５ｍから７５ｍの幅を有する船舶１を示す。船舶１は、少なくとも１００００トン、好ましくは少なくとも５００００トンの排水量を有することができ、外航船である。船舶１は、船首２を備えた船体４と、船尾３と，側部５と，実質的に平らな底部６と、プロペラ式の推進装置１０とを有する。底部６の平面に開口している空気潤滑キャビティ７，８は、底部６に沿って分布されており、実質的に平らな底部６に沿って、船尾３に向かって進む気泡９の層を発生させる。圧縮機１１，１２は、船舶の優勢ドラフトレベルにおいて、各キャビティの内側の静圧で、空気を供給する為に、各キャビティ７，８に接続されている。圧縮機１１，１２は、空気吹出ダクト１４と共にキャビティ７，８に接続され、周囲の空気を取る入口ダクト１３を有する。圧縮機１１，１２は、コントローラ１５によって制御され、航行速度、海の状態に応じて、また、始動および停止中に空気供給を調整する。
【００２９】
図２は、船舶１の船体４の実質的に底部６に差し込めるキャビティ３３を形成する一体型モジュールとして構成される空気潤滑システム１６を示す。キャビティ３３の長さＬｃは、約４ｍでもよく、幅は、約７５ｃｍである。「実質的に平らな」とは、底部が、５度から−５度の間の角度で水平に延在すること、好ましくは、水平面に対して平行であることを意味する。
【００３０】
システム１６は、側壁１８，１８’、最上壁１９，後壁２７を備え、全てがスチール製である。側壁１８，１８’は、フランジ１７上に支持され、フランジ１７は、船舶１の平らな底部６に溶接可能である。後壁２７は、側壁１８，１８’および最上壁１９に溶接される。
【００３１】
側壁１８，１８および後壁２７は、開口部２０を画成し、開口部２０は、船舶の底面と実質的に同じ高さにあり、開口部２０は、なめらかな空気−水中間平面を形成し、ケルビンヘルムホルツ混合効果のため、この中で空気は水と混合される。中間平面で水と混合される気泡は、後縁部２１に沿ってキャビティを離れ、キャビティから底部における滑らかな移行部を通過し、船尾３の方向で平らな底部６に沿って無制限に進む。後壁は、凹状に湾曲した下方に傾斜した壁部２７’を有し、この壁部２７’は、キャビティの後縁部２１に最上壁１９を接続し、滑らかな流れのパターンでキャビティの内側の空気および水を、低い後縁部２１に沿って位置する出口地点まで案内する。
【００３２】
キャビティ３３の前端部２２は、短冊状であり、空気入口２３は、最上壁１９に位置する。空気入口２３は、図１に示される圧縮機１１，１２の空気吐出ダクト１４の一つに接続可能である。
【００３３】
キャビティ３３の内側には、単一の波デフレクタ２４がキャビティ内部に延び、スペーサアーム２５を経由して側壁１８，１８’に接続されている。
【００３４】
図２の空気潤滑システム１６の横断面図が図３Ａに示され、図３Ｂおよび図３Ｃは、そのIIIＢおよびIIIＣ部の詳細を示す。水デフレクタ２４は、平坦底面２４’を有し、この平坦底面２４’は、６ｃｍの幅ｗ１を有する隙間ｇ１によって側壁から離間され、空気キャビティ３３からの空気が、側壁に沿って開口部２０に向かって前記隙間ｇ１を通って放出することを可能にする。後壁２７は、波デフレクタ２４から離間しており、後壁上のライン２７’に沿って、その平坦底面２４’に最も近い（図３Ｂを参照）。底面２４’の後縁部２６および後壁２７の間には、前記ラインに又は前記ライン付近に、更なる隙間ｇ２が存在するが、この隙間は、１０ｃｍの幅ｗ２を有するので、気泡は、前記隙間ｇ２を横切って空気キャビティを離れることができる。平坦底面２４’は、開口した中間平面３０から約５ｃｍの距離ｈ１に配置され、そこには、キャビティ１６内側の空気と平らな底部６に沿って流れる水との間に境界層が位置する。
【００３５】
キャビティ３３の高さＨｃは、約２５ｃｍでもよい。側壁１８，１８’は、１６ｍｍの厚さを有してもよく、フランジ１７および最上壁１９は、２０ｍｍの厚さを有してもよい。
【００３６】
波デフレクタ２４は、フランジ１７の厚さに等しい又はフランジ１７の厚さより厚い厚さを有するのが好ましい。
【００３７】
波デフレクタ２４は、２−１５ｃｍの距離の範囲内で中間平面３０の上方に位置し、船舶が水を通って進むとき、何も空気がキャビティ内に噴射されないとき、キャビティを通過する水の乱れていない流れを得る。キャビティが空気で一杯のとき、デフレクタ２４の底面２４’は、水面から遊離する。また、波デフレクタは、船舶の横揺れ運動中、水面を中間平面に安定に維持するのを助ける。
【００３８】
キャビティ３３の後壁２７の傾斜は、船舶の境界層に気泡を滑らかに放出するのを助け、ケルビンヘルツホルム混合によって形成される泡を、ごく近い船舶面境界層に案内するのを助け、垂直方向の分散を最小限に抑え、抗力低減を最適化する。
【００３９】
キャビティの前方の形状、即ち、楔形状または弾丸形状は、水の流れを制御し、空気／水中間の不安定性を最小限に抑え、ケルビンヘルムホルツ効果による境界層への一貫した空気混合を改善する。
【００４０】
キャビティの長さは、一定の気泡発生の為の安定したケルビンヘルムホルツ混合効果と境界層への気泡の流れを生み出すのに十分に選択されるべきである。キャビティの大きさは、安定した気泡発生に必要であり、エアポケットの崩壊後のキャビティ回復に必要な空気量を決定する。キャビティの大きさを最適化することによって、全体的な潤滑効果と全空気発生効果が定められる。これについて、より多くの情報が図４に見い出せる。
【００４１】
図４は、図２および図３の波デフレクタ２４、後壁２７，側壁１８，１８’の底面図を示す。この底面図において、キャビティの開口部２０の領域と、デフレクタの底面２４’の領域の比は、中間平面３０上の投影で見たときに同一であり、底面２４’が、側壁１８，１８’から、更に後壁２７から完全に離間されていること、この投影において開口部３２の領域の少なくとも９０％をとることが明らかに分かる。
【００４２】
各々が、デフレクタの底面２４’に対して平行に伸び、一端部で波デフレクタ２４の最上側部（図示せず）に付けられ、他端部で側壁１８，１８’の一つに付けられる、６つのスペーサアーム２５は、隙間ｇ１および更なる隙間ｇ２が存在することを確保し、これらの隙間は、ともに、底面２４’を完全に囲み、側壁１８，１８’および後壁１９から底面を離間させている。現在の図に存在するスペーサ２５自体は、開口部２０の領域の１０％未満を覆い、開口部２０は、デフレクタの底面２４’によって覆われていないので、それらは、水の流れまたは空気キャビティから中間平面３０までの空気を妨害しない。
【００４３】
この、特に単純な構造は、スペーサ２５から波デフレクタ２４を外すことによって、波デフレクタ２４を空気キャビティ３３から取り外すことを可能にする。たとえば、デフクレクタ２４は、ボルトによってスペーサ２５に付けられてもよく、これらのボルトを取り外すことによって、スペーサから取り外されてもよい。たとえデフレクタ２４がスペーサ２５に溶接されるとしても、そこから波デフレクタを外すことは、スペーサ２５で溶接部を切断すればよく、デフレクタは、その後、スペーサに溶接して簡単に戻すことができる。
【００４４】
本発明に従う波デフレクタを備えた空気潤滑システムは、従来技術の波デフレクタに対して多くの利点を提供する。
【００４５】
第１に、従来技術のデフレクタと比較すると、本発明の空気潤滑システムおよびデフレクタは、空気潤滑システムがオフのとき（空気の入力が無いとき）、キャビティによって生じる抗力を著しく減少させる。このシステムがオフのとき、キャビティ３３は、水で満たされ、或いは、水で部分的に満たされる。しかしながら、航行速度において、底面は、中間平面３０に投影されるときに開口部の領域の少なくとも９０％を覆い、水は、波デフレクタによって空気キャビティ３３に入ることが実質的に妨げられる。特に、デフレクタ２４’の平坦底面２４’は、平坦底面を横切る方向において、空気キャビティの内外に水が移動することを実質的に防止する。底面２４’は中間平面３０の近くに配置され、隙間ｇ１は比較狭いので、このシステムのスイッチが切られるとき、船体を横切り、中間平面３０を超える水の流れは、著しく妨害されない。また、比較的に狭い隙間は、流木などのような硬い物体が隙間の中または空気キャビティ内で動けなくなる危険性を低減する。
【００４６】
第２に、波デフレクタ２４は、船舶が一定の速度で進むとき、キャビティを空気で満たす為に比較的小量の空気だけを使用して、空気でキャビティ３３を満たすこと、キャビティから水を追い出すことを可能にする。空気／水の混合物が追い出される隙間は比較的狭く、デフレクタの底面２４’の外縁部に配置されているので、比較的小量の空気だけがキャビティに供給されなければならず、水と空気を外縁部に沿って、キャビティから押し出す。対照的に、知られた空気潤滑システムにおいて、デフレクタは、本発明よりも、開口部の実質的に小さい領域を覆うので、多量の空気が、水が存在しない場所でキャビティを脱出可能であり、通常、より多くの量が空気キャビティから水を追い出す為に必要である。
【００４７】
第３に、波デフレクタは、最上面に向かって非常に延びないプレートとして設けることができるので、湾曲または角度が付けられた波デフレクタが使用されるよりも、よりコンパクトな空気キャビティを設けることができる。
【００４８】
図面に示されるように、多数の例示的実施形態を参照して、本発明が説明されてきた。一部の部品または要素の変形例および変更例が可能であり、これらは、添付された特許請求の範囲に規定されるように、保護の範囲に含まれる。
【図１】
2019524559.tif 000003
【図２】
2019524559.tif 000004
【図３Ａ】
2019524559.tif 000005
【図３Ｂ】
2019524559.tif 000006
【図３Ｃ】
2019524559.tif 000007
【図４】
2019524559.tif 000008
【国際調査報告】
2019524559.tif 000009
2019524559.tif 000010
2019524559.tif 000011